Podtech/llm-jp-corpus-v4-ja_patent huggingface dataset:
(57)【要約】【課題】高価格の高級車用のタイヤにおいて顕著だが、タイヤのロープロフィール化(扁平化)により、道路の路側帯縁石高さよりホイール下限が大幅に低くなってしまい、ちょっとした接触でホイールが傷つくことが多くなった。【解決手段】主にロープロフィールタイヤの、ホイールに近い部分のタイヤサイドウォール（側面）上に、円周上に等間隔で６箇所以上、厚み３０ｍｍ位で突起を設ける。【選択図】図１
2007186079.tif 000002
【特許請求の範囲】
【請求項１】
主としてロープロフィールタイヤの、ホイールに近い部分のタイヤサイドウォール（側面）上に、円周上に等間隔で６箇所以上、厚み３０ｍｍ位で突起を設ける。
【発明の詳細な説明】
【技術分野】
【０００１】
この発明は、主にロープロフィールタイヤのホイールに近い部分のタイヤサイドウォール（側面）上に、円周上に等間隔で６箇所以上、厚み３０ｍｍ位で突起を設けることを特徴とする。
【背景技術】
【０００２】
平０１−１６０７１１など。これはサイドウォールに環状突起を設け、鋼体サイドプロテクターを被覆したもの。
【発明の開示】
【発明が解決しようとする課題】
【０００３】
高価格の高級車用のタイヤにおいて顕著だが、タイヤのロープロフィール化(扁平化)により、道路の路側帯縁石高さよりホイール下限が大幅に低くなってしまい、ちょっとした接触でホイールが傷つくことが多くなった。
【課題を解決するための手段】
【０００４】
以上の課題を解決するために、第一発明は、ロープロフィールタイヤのホイールに近い部分で、リムライン周辺のサイドウォールに、円周上等間隔で６箇所以上、厚み３０ｍｍ位で突起を設ける。
【発明の効果】
【０００５】
駐車時や低速走行時に、路側帯の縁石にタイヤ側面をこすることにより、価格の高いホイールを傷物とし、見映えを悪くする可能性が減少する。駐車の際にホイールを傷付けないように必要以上に通行側に駐車車両がはみだすことを避けることが出来る。タイヤ側面への損傷を避け重大事故を抑止することが可能となる。
【発明を実施するための最良の形態】
【０００６】
この発明の一実施形態を、図１に示す。ロープロフィールタイヤのホイールに近い部分のタイヤウォールに、円周上に等間隔で６箇所以上、厚み３０ｍｍ位で突起を設ける。この厚みが自動車の車幅制限を越えないこととする。また、原則的には、突起はタイヤを鋳込む際に同時に鋳込み、全てを一体化した構造とするが、突起部品を強力に接着する手法で大きな傷が付いた場合交換することも考えられる。突起の材質は擦り傷が付いた場合修正がし易いものとする。
【０００７】
「実施形態の効果」
駐車時や低速走行時に、路側帯の縁石にタイヤ側面をこすることにより、価格の高いホイールを傷物とし、見映えを悪くする可能性が減少する。但しこの突起で全ての場合にホイールを傷付から防止することは不可能であり、乱暴な運転はくれぐれも控えるべきである。
【０００８】
「他の実施形態」
どのタイヤにもあるスリップサインを生かしたデザインとし、特に目立たせないデザインとするもの。
【図面の簡単な説明】
【０００９】
【図１】この発明の一実施形態を示す側面図である。最近のロープロフィール化(扁平化)したタイヤのホイールとタイヤサイドウォールの比率で描いてあり、タイヤのホイールが大きいことが顕著である。
【図２】この発明の一実施形態を車正面より見た断面図である。
【符号の説明】
【００１０】
「図１」における符号
１  タイヤホイール保護突起              ２  リムライン近く
３  タイヤサイドウォール                ４  ホイール
「図２」における符号
１  タイヤホイール保護突起              ２  リムライン近く
３  タイヤサイドウォール                ４  ホイール
５  タイヤトレッド
【図１】
2007186079.tif 000003
【図２】
2007186079.tif 000004
(57)【要約】【課題】荷物運搬用台車を使用時に、例えば大量の荷物を積上げて運搬する場合、片手で荷物を支えたり、路面の状態が悪い場所や曲がり角などでは荷崩れが発生する等、安全性に問題があった。【解決手段】荷物運搬用台車１、にロープフック２、を取付けて荷物運搬時にロープや紐等を使用できるようにし又、自動巻取りロープリール装置３に収納されたロープ４、で自在に荷物を固定できるようにしたものである。【選択図】図１
2007186177.tif 000002
【特許請求の範囲】
【請求項１】
荷物運搬用台車にロープフックを取付け、荷物をロープや紐等で固定して荷崩れを防止できるようにした、ロープフック付き荷物運搬用台車。
【請求項２】
荷物運搬用台車に、自動巻取りロープリール装置を取付け、ロープ必要時にロープを引出して使用し、使用後はロープを自動的に巻取るようにした荷物運搬用台車。
【発明の詳細な説明】
【技術分野】
【０００１】本発明は、荷物運搬用台車にロープフックを取付け、ロープ又は紐等で荷物を固定して荷崩れを防止できるようにしたものである又、台車本体に自動巻取りロープリール装置を取付け、使用時のロープを自動的に出入れできるようになっている。
【背景技術】
【０００２】従来、荷物運搬用台車には、ロープや紐等を使用するための装備が施こされていなかった。
【発明の開示】
【発明が解決しようとする課題】
【０００３】荷物運搬用台車を使用時に、例えば大量の荷物を積上げて運搬する場合等、片手で荷物を支えたり、路面の状態が悪い場所や曲り角等では荷崩れが発生するなど、安全性に問題があった。
【課題を解決する為の手段】
【０００４】本発明は、それらの課題を解決する為に発案されたもので、それを図面について説明すれば、荷物運搬用台車１、にロープフック２、を取付けて荷物運搬時にロープや紐等を使用できるようにし又、自動巻取りロープリール装置３、に収納されたロープ４、で自在に荷物を固定できるようにしたものである。
【発明の効果】
【０００５】このようにすれば、荷物運搬用台車を使用時に、荷物を片手で支えることもなく又、荷崩れも防止できるなど安全性が期待できるものである。
【実施例】
【０００６】この、ロープフック及び自動巻取りロープリール装置付き荷物運搬用台車を使用することにより、通常より多くの荷物を安心して安全に運搬することができるものである。
【図面の簡単な説明】
【０００７】
【図１】ロープフック及び自動巻取りロープリール装置付き荷物運搬用台車の斜視図である。
【図２】ロープフック及び自動巻取りロープリール装置付き荷物運搬用台車の正面図である。
【図３】ロープフック及び自動巻取りロープリール装置付き荷物運搬用台車の側面図である。
【符号の説明】
【０００８】１  ロープフック及び自動巻取りロープリール装置付き荷物運搬用台車
２  ロープフック
３  自動巻取りロープリール装置
４  自動巻取りロープリール装置のロープ部分
【図１】
2007186177.tif 000003
【図２】
2007186177.tif 000004
【図３】
2007186177.tif 000005
(57)【要約】【課題】操縦しやすく安定性のある前二輪の三輪車を提供する。【解決手段】二輪車の前輪部分を左手用と右手用に分けて設けた前二輪の三輪車にする。左右のハンドルは、進行方向を変えるために同じ角度だけ回転するようにするが、回転軸方向には平行を保ったまま相対的に上下に動くようにしたもの。左右ハンドルの上下のずれを調節することにより、車体の傾きをコントロールするものである。【選択図】図１
2007186179.tif 000002
【特許請求の範囲】
【請求項１】
自転車やバイク等のハンドル部を左右で独立させ、それぞれにタイヤをつけたもの。
進行方向を変えるために左と右のハンドルは同じ角度だけ回転するようにするが、回転軸方向には相対的に上下にずれることができるようにした操縦機構。
【請求項２】
請求項１のハンドルを手の代わりに足で操縦できるようにしたもの。
【請求項３】
請求項１または請求項２の構造を後輪でできるようにしたもの。
【発明の詳細な説明】
【技術分野】
【０００１】本発明は主に、自転車やバイクにおいてハンドル等に代表される、車体を操縦する部分と、操舵輪とに関する。
【背景技術】
【０００２】一般的に三輪車は、左右の安定はあるが、車体を傾けることができない。【０００３】一方、自転車やバイク等の二輪車は、車体を傾けることはできるが、左右のバランスを取ることは難しく、特に静止した状態では、足を地面につく必要がある。
【発明の開示】
【発明が解決しようとする課題】
【０００４】上記の如く、一般的な三輪車は、静止していても転びにくく、誰でも乗ることはできるが、車体が傾かないため、旋回性能などの運動能力は制限される。【０００５】また三輪車は、路面の状態に影響されやすく、地面に起伏がない状態では安定性があるが、荒れた路面や傾いた路面ではバランスが取りにくくなり、一度バランスを失うと、立て直すことが難しい。【０００６】一方、二輪車の場合、三輪車ほど路面に影響されず、運動の自由度も高くなるため乗りこなすことができれば、日常の足として利便性が高い。
しかし、姿勢を保つことが難しく、習熟が必要になる。
また、走行するためにはある程度の速度が必要で、低速になるほどバランスが崩れる。
静止した状態では足を地面につくことになる。【０００７】また自転車の場合、乗りこなすことが難しいことがある。
自転車に乗ることができない人もおり、たとえ乗れたとしても日常の足としては危険である人も多い。【０００８】一般的に二輪車は、地面に足をつく必要性から、自動車のような運転者の周りを車体で覆うかたちができない。
そのため、雨や雪が降ると体が濡れることや、気温が暑くても寒くても運転することが苦痛になる。
また、スピーカーやエアコンを付けることも難しい。【０００９】以上の問題を解決するためには、高い運動性能を保持したまま、車体の姿勢を安定させることのできる車体の操縦機構が必要となる。
【課題を解決するための手段】
【００１０】本件はこれらの問題を解決するために、ハンドルに代表される操縦部分を左と右で独立させ、それぞれに操舵輪をつけた。
車体の進行方向を変えるために、その両輪とも連動して同じ角度をきるようにするが、その回転の軸方向には両軸が平行を保ったまま相対位置を上下にずらすことができるようにする。
車体が傾いている時には、ハンドル部の左右がそれぞれ上下にずれるため、その差を手、もしくは足の力によって調節することで、車体の傾きをコントロールできる。
静止した状態においても左右のハンドルをコントロールしている限り倒れることはないため、地面に足をつく必要がない。【００１１】前記の応用の一例として、手でハンドルを操縦する代わりに、足で舵輪を動かせるようにしたもの。【００１２】また前輪を操舵輪にできない場合など、後輪に前述の仕組みを使うこともできる。
【発明の効果】
【００１３】本発明により、技術的に二輪自転車に乗れない人、または乗りこなせない人にも、高い安全性を確保できる自転車を提供できる。
また原動機がついている場合などに足で両輪を支えることにより、地面に足をつく必要がなくなり自動車のように運転者を車体で覆うことで、雨や気温の変化などにも対処できるようになる。
【発明を実施するための形態】
【００１４】前述の目的を実現するための最も簡単な仕組みは、従来の二輪車の前輪部分を左手用と右手用にそれぞれ設け、二本の水平部品などによりフレーム部の回転軸部分に平行に取り付ける。
【図面の簡単な説明】
【図１】本発明の正面図である。
【図２】車体を傾けた場合の正面図である。
【符号の説明】
１  フレームの回転軸部分
２  右手用ハンドル
３  左手用ハンドル
４  フォーク
５  タイヤ
６  フレームと前輪との連結部品
【図１】
2007186179.tif 000003
【図２】
2007186179.tif 000004
(57)【要約】【課題】自動車の車内の空気の循環が悪いと、頭元に暖かな空気汚れた空気が溜まりなかなか取れない、眠気を誘い運転を妨げる事になる。【解決手段】自動車の天井に穴を開けそこから暖かな空気汚れた空気を取り入れ、天井のもう一方にも穴をあけそこから排出することにより解決するものである。【選択図】図２
2007186180.tif 000002
【特許請求の範囲】
【請求項１】
自動車１の天井にあたる２の部分より自動車の室内の汚れた空気や、暖かくなった空気を車外に排出するものである。
【発明の詳細な説明】
【技術分野】
【０００１】本発明は、自動車の天井部分に穴をあけることによって、車内の空気を浄化させ居心地を良くするものである。
【背景技術】
【０００２】従来自動車の車内における空気の浄化は、フロント部分を利用して空気を取り入れ、又、同じくフロント部分へ循環させて行っていた、しかしこの方法では、頭上に溜まった設定温度以上に上がった暖かな空気や汚れた空気の排出には不向きであった。
【発明の開示】
【発明が解決しようとする課題】
【０００３】頭上に溜まった空気を排出する方法として、自動車の窓を開けることも考えられるが、冬場でも外温が１０度前後になると車内の温度は、暖房を効かせている事もあり、天気のいい日は温室効果も重なり頭上の温度は設定温度以上になり頭元だけが暑くなる、窓を開けての空気の浄化は冬場においては限りなくつらい作業になる、本考案は、これを解決しようとするものである。
【課題を解決する為の手段】
【０００４】自動車の天井部分２｀を、７と８を使って二重にし、隙間を造りここに天井部分に５の穴をあける、５から入った空気を６の部分から排出する。
【発明の効果】
【０００５】自動車の車内に溜まった空気を浄化することが出来る、従来の構造では特に冬場の寒いとき暖房を入れ温室効果等により頭もとの温度だけが異常に高くなり、気持が悪くなるような事があっても、温度調整は難しかった、本考案を使用すれば簡単に解決できる。又、冬場でも天気のいい日は車内温度があがると窓を開けると寒いためエアコンを入れることが多々あった、省エネの時代においてガソリンの無駄遣いである、これも本考案を使用する事により解決できるものである。
【発明を実施するための最良の形態】
【０００６】以下、本発明の実施の形態を図面に基づき説明する。【０００７】図４は、図５の自動車の天井部分２を拡大した物である、図３は、図４の天井部分を３と４の線の部分でわけた２｀の底面図である、ここに５の穴をあける、図２は、図４の天井部分を３と４の線における２｀の断面の側面図である、図１は、図４の天井部分を３と４の線の部分で分けた平面図である。【０００８】図３で、示すように自動車の天井２｀に５の穴をあけることによって５から空気を取り入れ、図２｀の６から排出するものである。
【実施例】
【０００９】本考案を使用すると、頭元に溜まっている暖かい空気や汚れた空気が５の穴から６を通して排出された、又実施したときにタバコの煙が５から入って６から出て行く効果も見られた。
【産業上の利用の可能性】
【００１０】冬場においても、外温が１０度前後になると締め切られた車内の温度は温室効果も手伝い３０度を越してしまう、窓を開けると寒いので冬にもかかわらずエアコンを入れることになる、このようなことをすれば、当然ガソリンは減り燃料の無駄使いなる、本考案を使用する事は、省エネにつながり産業上の利用価値が生まれる。
【図面の簡単な説明】
【００１１】
【図１】本発明の天井部分の平面図である。
【図２】本発明の側面図。（図４の３と４の線の部分における断面）
【図３】本発明の２｀の底面図。
【図４】本発明の自動車の天井部分である。
【図５】本発明の場所をわかりやすくする為の自動車の全体図である。
【符号の説明】
【００１２】１、    自動車。
２、    自動車の天井。
２｀、  自動車の天井。
３，４、図１、図２、図３、の断面を示すための線。
５、    空気を取り入れる穴。
６、    空気を排出する穴
７、    自動車の天井を二重にする為の上の部分。
８、    自動車の天井を二重にする為の下の部分。
【図１】
2007186180.tif 000003
【図２】
2007186180.tif 000004
【図３】
2007186180.tif 000005
【図４】
2007186180.tif 000006
【図５】
2007186180.tif 000007
(57)【要約】      （修正有）【課題】上部を紐で木の枝などに縛り付けることによって簡単に張設できるテントを提供する。【解決手段】テント１の取り付け場所２，３，４に紐を通してその紐を木の枝等に縛り付けることによって上部を固定する。テントの底の部分は土地が長方形の場所なら５のような張り方をし、楕円形の土地ならば６のような張り方をし、土地が正方形ならば７のような張り方をする。【選択図】図１
2007186972.tif 000002
【特許請求の範囲】
【請求項１】
テント１の２，３，４、に紐を通してテントの上部をその紐で木の枝等に縛り止めることによって、テントとして機能を果すものである。
【発明の詳細な説明】
【技術分野】
【０００１】本発明は、テントの上部を紐を使って木の枝などに縛り付けることによって簡単にテントを張る事が出来るものである
【背景技術】
【０００２】テントを張るためには、テントを張るための場所が必要である、しかし、必ずしもテントにあった場所があるわけでなく、木があったり岩などが邪魔になりなかなか場所の確保も難しいものである、本考案はこれらの事を解決するために考え出されたものである。
【発明の開示】
【発明が解決しようとする課題】
【０００３】上述のごとくテントを張るのに木があったり岩などが邪魔になりテントを張る場所の確保の難しい場合もこのテントを使用すれば解決する事が出来る。
【課題を解決する為の手段】
【０００４】テント１に図２の拡大図のような２，３，４、を取り付ける
【発明の効果】
【０００５】テント１に取り付けた２，３，４、に紐を通してその紐を木の枝等に縛り付ける事によって上部を固定する、テントの底の部分は土地が長方形の場所なら５のような張り方をすればいいし、楕円形の土地なら６のような張り方をすればいいし、土地が正方形なら７のような張り方をすればいい、このように張る場所を選ぶ事なくテントを張る事が出来る。
【発明を実施するための最良の形態】
【０００６】以下、本発明の実施の形態を図面に基づき説明する。【０００７】図１、図３ともに本発明の全体図である、図１は上部の取り付け場所が３の１箇所の場合、図３の場合上部の取り付け場所が２，３，４、の３箇所の場合をあらわす、図２は２，３，４、をわかりやすくするための拡大図である。図４は楕円形の土地にテントを張った場合のテントの底の部分を表す、図５は正方形の土地にテントを張った場合のテントの底の部分を表す。【０００８】図１、図３のようにテントを張る場所にあわせ、上部の紐を通す穴を１箇所にしてもいいし、３箇所に又、図面にはないが上部を安定させるためにもっと数をふやしてもいい、このような機能形態であるので場所を選ぶことなくテントを張ることが出来る。
【実施例】
【０００９】テントの２，３，４、を利用して木の枝等に縛ると言う簡単な方法であるので、大人、子供関係なく誰にでも簡単にテントを設置する事が出来た、また従来のテントには、テントの骨組みとなる資材が必要であったが、本考案のテントにはその必要がないので荷物として車に積み込む事もなく、荷物を少なくする事が出来た。
【産業上の利用の可能性】
【００１０】本発明のテントは、簡単にどんな場所でも張る事が出来、又、荷物として場所をとらないので車での移動にも邪魔にならない、このような機能形態であるのでレジャーの多様化に寄与する事が出来る、よってレジャー産業の向上につながる。
【図面の簡単な説明】
【００１１】
2007186972.tif 000003
【図２】本発明の２，３，４、をわかりやすくするための拡大図である。
【図４】本発明を、楕円形の土地にテントを張った場合のテントの底の部分である。
【図５】本発明を、正方形の土地にテントを張った場合のテントの底の部分である。
【符号の説明】
【００１２】１、  テント
２、３，４、本考案の紐を通す事の出来るものである。
５、６，７、テントの底の部分を表す。
【図１】
2007186972.tif 000004
【図２】
2007186972.tif 000005
【図３】
2007186972.tif 000006
【図４】
2007186972.tif 000007
【図５】
2007186972.tif 000008
(57)【要約】【課題】従来の鍵では外からの鍵穴への鍵開け工具等の物を差込み使用者以外の鍵で鍵開け行為により鍵を開けられ事を防止するものす。【解決手段】発明のロックピンにより鍵穴は普段閉じられておりこの状態から鍵等を鍵穴に差し込むとロックピンが押されてスライドしロックが掛かります、一番奥まで差し込む事で発明の穴開け鍵の穴の部分にロックピンがバネにより刺さりロックピンが反対側にスライドしてロックを解除しますその為、専用の鍵でないと鍵の開け閉めは出来なく成ります。【選択図】図２
2007186971.tif 000002
【特許請求の範囲】
【請求項１】
キーシリンダーの外側と内側をロックする為のロックピンと鍵穴蓋を一体にした構造の部品を取り付けて請求項２の鍵を差し込んだ事により、ロックが解除される機構、形状、大きさを問わずキーシリンダーの内側と外側を鍵穴蓋を開けた時に、ロックさせる為のロックピンと鍵穴蓋の一体型構造機構。
【請求項２】
請求項１のロックピンに合うように鍵に穴を開けてロックピンを解除する機構または、ロックピンを解除する為の鍵で穴に限らずクランク型、溝入型等の鍵。
【発明の詳細な説明】
【技術分野】
【０００１】本発明は、扉の施錠の鍵に関する物であり、鍵をいたずらに容易に開けられないようにしたものです。
【背景技術】
【０００２】従来の鍵の場合、鍵の差込口に容易に金属片などを差込める事により犯罪等にさらされている。
【発明の開示】
【発明が解決しょうとする課題】
【０００３】従来のような鍵の構造では鍵の差込口がむき出しに成ってる為、差込口をふさぎ専用の鍵を使わないと開けられないことで解決することを課題としている。
【課題を解決するための手段】
【０００４】この課題を解消するための請求項１の発明は外部からの鍵穴に金属片等を差込事を困難にする為に鍵蓋とロック機構を設けた。
【０００５】また、請求項２の発明は鍵穴蓋を開けてロックピンを解除する為の専用の鍵でこの鍵と組み合わせてロックが掛かるようにして鍵を開けられなくしている。
【発明の効果】
【０００６】鍵を開けようとする時に専用の鍵を使用して開ける事は容易に開けられますがその他の方法で開けようとするとロックされて鍵は開かなく成ります。
【発明を実施するために最良の形態】
【０００７】図１は従来のキーシリンダー部分手前の鍵の一部に穴を設けロックピンこの穴にスライドすて入り込む事でロックを解除するための鍵で、従来のキーシリンダーのロックも解除される、このように従来の部分と発明部分の二重安全構造となります。
【０００８】図２は専用の鍵を差し込んで発明部分のロックピンが鍵の手前部分に刺さる事でロックが解除されるのと従来のキーシリンダーのロックが共に解除されて鍵を開けられる状態に成ります。
【０００９】これまでの材料をそのまま利用でき構造も変えずに新たな本発明部分を追加することにより安全を大きく改善できて単純な構造ですみます。
【産業上の利用可能性】
【００１０】全ての鍵に本発明を取り付ける事によりさまざまな鍵に追加可能なためにいろいろな場所で安全性にも産業上の利用可能性を有する。
【図面の簡単な説明】
【００１１】
【図１】キーシリンダーの外側と内側に鍵を挿した縦の断面図です。
【図２】キーシリンダーの外側と内側にロックピンが刺さっている横の断面図です。
【図３】キーシリンダー正面の鍵を差し込んだ状態の断面図です。
【図４】キーシリンダーの正面図です。
【図５】鍵の横面図です。
【図６】鍵の上図です。
【符号の説明】
【００１２】１    キーシリンダーの外側
２    キーシリンダーの内側
３    穴付き鍵
４    ディスクタンブラー
５    発明部分のロックピン
６    ロックピン押戻しバネ
７    鍵穴
８    発明部分の鍵に作った穴
９    飾り穴
【図１】
2007186971.tif 000003
【図２】
2007186971.tif 000004
【図３】
2007186971.tif 000005
【図４】
2007186971.tif 000006
【図５】
2007186971.tif 000007
【図６】
2007186971.tif 000008
(57)【要約】【課題】使用に伴い低下した弾性舗装のウェットμを回復させることのできる弾性舗装の補修方法を提供する。【解決手段】バインダーと、ゴムチップおよび／またはゴム粉末とを少なくとも含有する弾性舗装であって、表面が摩耗、老朽、劣化または損傷した弾性舗装を補修するにあたり、摩耗、老朽、劣化または損傷した弾性舗装の表層部を削り取る弾性舗装の補修方法である。削り取る表層部の深さは、１ｍｍ〜５ｍｍの範囲内程度が好適である。【選択図】なし【特許請求の範囲】
【請求項１】
バインダーと、ゴムチップおよび／またはゴム粉末とを少なくとも含有する弾性舗装であって、表面が摩耗、老朽、劣化または損傷した弾性舗装を補修するにあたり、該摩耗、老朽、劣化または損傷した弾性舗装の表層部を、削り取ることを特徴とする弾性舗装の補修方法。
【請求項２】
前記削り取る表層部の深さを、１ｍｍ〜５ｍｍの範囲内とする請求項１記載の弾性舗装の補修方法。
【請求項３】
前記表層部の削り取りを、刃物を用いて行う請求項１または２記載の弾性舗装の補修方法。
【発明の詳細な説明】
【技術分野】
【０００１】
本発明は弾性舗装の補修方法（以下、単に「補修方法」とも称する）に関し、詳しくは、ウェット時におけるすべり抵抗性（ウェットμ）を回復するための弾性舗装の補修方法に関する。
【背景技術】
【０００２】
従来、加硫ゴムを粉末またはチップ状にして利用する方法として、ウレタンやエポキシ等の硬化性樹脂をバインダーとして使用した低騒音弾性舗装が知られている。また、ゴムチップをこれらバインダーと混合してプレス成形した弾性舗装体が、歩道や運動場、車道等で使用されている。
【０００３】
これらゴムチップを用いた弾性舗装は、ゴムチップの有する弾力性により歩行時の衝撃吸収性や転倒時の安全性といった優れた効果を奏するとともに、内部に空隙を有することから、排水性および通気性に加えて吸音性にも優れ、そのためタイヤと路面内で発生する騒音の低減にも有効であるため、都市部での交通騒音低減のための機能性弾性舗装材としても注目されている。
【０００４】
かかる弾性舗装に関する補修技術としては、例えば、特許文献１において、表面が摩耗、老朽、劣化または損傷した弾性舗装面を補修するにあたり、補修対象面に、アクリル系樹脂、ウレタン系樹脂、又はアクリル／ウレタン系樹脂よりなる表面処理樹脂を含む表面被覆層を形成し、好適にはその硬化前に骨材を散布する、弾性舗装面の補修方法が開示されている。
【特許文献１】特開２００４−６８２８０号公報（特許請求の範囲等）
【発明の開示】
【発明が解決しようとする課題】
【０００５】
従来、かかる弾性舗装においては、長期にわたり使用することで弾性舗装表面にゴムが露出してしまい、ウェット時におけるすべり抵抗性、いわゆるウェットμが著しく低下するという問題があった。これに対し、微細な珪砂等を混合すると、初期のウェットμは高くなるものの、珪砂が徐々にバインダーから離脱する一方、ゴムは取れないため、弾性舗装表面はゴムが大半を占めることになってしまい、結果として、ウェットμの低下を防止することはできなかった。従って現状では、ウェットμが低下してしまうと、弾性舗装自体を除去して、再度新たな弾性舗装の施工を行わざるを得ず、コスト面で大きな負担を伴うものとなっていた。
【０００６】
そこで本発明の目的は、上記問題を解消して、使用に伴い低下した弾性舗装のウェットμを回復させることのできる弾性舗装の補修方法を提供することにある。
【課題を解決するための手段】
【０００７】
本発明者は鋭意検討した結果、ウェットμが低下した弾性舗装の表層部を削り取ることにより、新たな弾性舗装面が露出することとなり、これによりウェットμの回復を図ることが可能となることを見出して、本発明を完成するに至った。
【０００８】
即ち、本発明の弾性舗装の補修方法は、バインダーと、ゴムチップおよび／またはゴム粉末とを少なくとも含有する弾性舗装であって、表面が摩耗、老朽、劣化または損傷した弾性舗装を補修するにあたり、該摩耗、老朽、劣化または損傷した弾性舗装の表層部を、削り取ることを特徴とするものである。
【０００９】
本発明において、前記削り取る表層部の深さとしては、１ｍｍ〜５ｍｍの範囲内が好適である。また、前記表層部の削り取りは、例えば、刃物を用いて好適に行うことができる。
【発明の効果】
【００１０】
本発明の弾性舗装の補修方法によれば、上記構成としたことにより、新たな弾性舗装の施工による過大なコスト負担を回避しつつ、使用に伴い低下した弾性舗装のウェットμを回復させることが可能である。
【発明を実施するための最良の形態】
【００１１】
以下、本発明の好適な実施の形態について詳細に説明する。
本発明は、バインダーと、ゴムチップおよび／またはゴム粉末とを少なくとも含有する弾性舗装であって、表面が摩耗、老朽、劣化または損傷することにより、表面のウェットμが低下した弾性舗装の補修方法である。
【００１２】
本発明においては、かかる摩耗、老朽、劣化または損傷した弾性舗装の表層部を削り取ることにより、低下したウェットμを再び向上させる。即ち、ゴムの露出によりウェットμが低下した表層部を削り取ることにより除去することで、施工初期と同様の弾性舗装表面を新たに形成することができ、これによりウェットμの回復を図ることができるのである。
【００１３】
本発明において、かかる表層部の削り取り深さとしては、新たな弾性舗装表面を形成することができるものであれば、できる限り小さいことが望ましく、好適には１ｍｍ〜５ｍｍの範囲内程度とする。削り取り深さが大きすぎると、弾性舗装そのものが壊れるおそれがあるため好ましくない。
【００１４】
また、かかる表層部の削り取り作業は、例えば、カッター等の刃物や、砥石、ワイヤブラシなどを用いて行うことができるが、特に制限されるものではない。
【００１５】
なお、本発明の補修方法が適用される弾性舗装としては、バインダーと、ゴムチップおよび／またはゴム粉末と、所望に応じ骨材およびその他の添加剤等を含有するものであって、使用に伴う摩耗や老朽、劣化、あるいは損傷により表面のウェットμが低下した弾性舗装であれば、その具体的材質等には特に制限はない。
【実施例】
【００１６】
以下、本発明を、実施例を用いてより詳細に説明する。
（実施例）
標準配合の弾性舗装（２５ｍｍ厚）表面に対し、すえぎり試験機（ナカジマ技販製  載荷重５０ｋｇ，タイヤ：小型トラック用、テーブル回転速度：１７ｒｐｍ（フリー）、タイヤ回転速度：１０ｒｐｍ）を用いてトータル２０００回のすえぎりを加え、表面を摩耗させた。その後、ダイナミックフリクションテスター（ＤＦＴ）により、摩耗した弾性舗装表面の６０ｋｍ／ｈにおけるウェットμを測定した。
【００１７】
次いで、上記弾性舗装の表層部の３ｍｍ厚相当部分を、カッターのような刃物で薄く削り取り、その後、上記と同様にして、再度ウェットμを測定した。
これらの結果を、すえぎり試験前の初期のウェットμの値とともに、下記の表１中に示す。
【００１８】
【表１】
2007186965.tif 000002
【００１９】
上記表１に示すように、すえぎり試験後に摩耗によりウェットμが低下した弾性舗装表面を削り取ることで、再びウェットμが向上することが確かめられた。
(57)【要約】【課題】    肝臓障害抑制を目的とした医薬品または食品を提供することにある。【解決手段】ウナギの肝（きも）を有効成分とする肝臓障害抑制剤を提供する。【選択図】なし【特許請求の範囲】
【請求項１】
ウナギの肝（きも）を有効成分とする肝臓障害抑制剤。
【発明の詳細な説明】
【発明の詳細な説明】
【技術分野】
【０００１】肝臓障害抑制を目的とした医薬品または食品に関する。
【背景技術】
【０００２】肝疾患治療薬としてはグリチルリチン、マロチラ−トや、小柴胡湯等の漢方薬等数種の薬剤が用いられているが、その選択肢は少なく、新たな肝疾患治療薬の開発が望まれている。また肝臓障害予防改善食品としてウコン、オオアザミのエキスなどが用いられているがその選択肢は少なく、新たな肝臓障害予防改善食品の開発が望まれている。【０００３】ウナギの肝（きも）は、ウナギの肉を蒲焼などに利用する際に取り除くウナギの内臓の総称である。通常、「きも吸い」（ウナギのきも入りのお吸い物）や「きも焼き」（ウナギのきもを串刺しにして焼いたもの）に利用される以外あまり利用されず、付加価値の低いものである。ウナギの肝（きも）が肝臓障害の予防、治療に有効であるという報告は全くない。
【発明が解決しようとする課題】
【０００４】肝臓障害抑制を目的とした医薬品または食品を提供することにある。
【課題を解決するための手段】
【０００５】上記の課題を解決するために鋭意検討を重ねた結果、ウナギの肝（きも）に顕著な肝臓障害抑制作用があることを見出した。すなわち、本発明は、ウナギの肝（きも）を有効成分とする肝臓障害抑制剤を提供する。
【発明実施の形態】
【０００６】本発明に関わるウナギの肝（きも）は、ウナギの肉を蒲焼などに利用する際に取り除くウナギの内臓部分をさす。生のまま利用してもよく、乾燥した後用いてもよい。また必要に応じて粉砕、加熱、抽出などの操作を加えたものを用いることもできる。
【０００７】本発明に関わる肝臓障害抑制剤を製造するには、上記の方法で製造したウナギの肝（きも）またはその抽出物を用い、常法に従って公知の無毒性担体と組み合わせて製剤化すればよい。本発明に関わる肝臓障害抑制剤は、種々の剤型での投与が可能であり、例えば、経口投与剤としては錠剤、顆粒剤、散剤、カプセル剤、ソフトカプセル剤等の固形剤、溶液剤、懸濁剤、乳剤等の液剤等が挙げられ、非経口投与剤としては、注射剤のほか、坐剤、噴霧剤、経皮吸収剤等が挙げられ、これらの製剤は製剤上の常套手段により調整することができる。上記の無毒性担体としては、例えば、グルコ−ス、乳糖、ショ糖、澱粉、マンニト−ル、デキストリン、脂肪酸グリセリド、ポリエチレングリコ−ル、ヒドロキシエチルデンプン、エチレングリコ−ル、ポリオキシエチレンソルビタン脂肪酸エステル、アミノ酸、アルブミン、水、生理食塩水等が挙げられる。また、必要に応じて、安定化剤、滑剤、湿潤剤、乳化剤、結合剤等の慣用の添加剤を適宜添加することができる。本発明に関わる肝臓障害抑制剤において、ウナギの肝（きも）の投与量は、患者の年齢、体重、症状、疾患の程度、投与スケジュ−ル、製剤形態などにより、適宜選択・決定されるが、例えば、一日あたり０．０１−１０ｇ／ｋｇ体重程度とされ、一日数回に分けて投与してもよい。
【０００８】また、本発明に関わるウナギの肝（きも）は、食経験も豊富なことから安全性が高く、肝臓障害抑制を目的として、機能性食品として摂取することもできる。本発明に関わるウナギの肝（きも）を含有することを特徴とする機能性食品は、特定保健用食品、栄養機能性食品、又は健康食品として位置づけることができる。機能性食品としては、上記の方法で製造したウナギの肝（きも）または抽出物をそのまま用いる他、例えば、適当な助剤を添加した後、慣用の手段を用いて、食用に適した形態、例えば、顆粒状、粒状、錠剤、カプセル剤、ペ−スト状等に形成したものを用いることができる。この機能性食品は、そのまま食用に供してもよく、また種々の食品（例えばハム、ソ−セ−ジ、かまぼこ、ちくわ、パン、バタ−、粉乳、菓子など）に添加して使用したり、水、酒類、果汁、牛乳、清涼飲料水等の飲物に添加して使用してもよい。かかる食品の形態における本発明のウナギの肝（きも）の摂取量は、対象の年齢、体重、症状、摂取スケジュ−ル、製剤形態などにより、適宜選択・決定されるが、例えば、一日あたり０．０１−１０ｇ／ｋｇ体重程度とされる。
【実施例】
【０００９】以下に本発明をより詳細に説明するために実施例を挙げるが、本発明はこれらによって何ら限定されるものではない。【００１０】実施例ウナギ肝（きも）粉末の肝臓障害抑制作用
ウナギの肝（きも）粉末は特開２００４−１７３６４４に示した方法によって作製した。簡潔に記すと、ウナギの肝（きも）を取り出し胃内容物を除去した後、熱湯に五分間漬け、その後、氷冷水で冷却した。その後水とともに粉砕した。粉砕物を凍結乾燥し粉末を得た。８週齢雄ｄｄＹマウスを２４時間絶食させた後、上記の方法で製造したウナギ肝（きも）粉末を蒸留水（０．６ｍＬ／ｍｏｕｓｅ）に懸濁させたもの（０、２５０、５００、１０００、２０００、４０００ｍｇ／ｋｇ）を強制経口投与した。その６０分後にオリ−ブオイルで希釈した四塩化炭素（０．０３１ｍＬ／ｋｇ、０．３ｍＬ／ｍｏｕｓｅ）を強制経口投与した。ウナギ肝（きも）粉末投与前と投与２５時間後に尾部から採血し、血清中ＧＯＴおよびＧＰＴ活性の測定を行った。その結果を表１に示す。なお、ウナギ肝（きも）粉末投与前の各群の測定値に有意差はなく、全体の平均値±標準偏差はＧＯＴが３４．１±３８（ＩＵ／Ｌ）、ＧＰＴが６．７±１．２（ＩＵ／Ｌ）であった。各群は６匹づつ、測定値は平均値±標準偏差（ＩＵ／Ｌ）で示した。同時間のコントロ−ル（０ｍｇ／ｋｇ投与群）と比較して有意（ｐ＜０．０５）に低下していたものに＊印を付けた（Ｓｔｕｄｅｎｔのｔ−ｔｅｓｔ）。【００１１】
【表１】
2007186485.tif 000002
2007186485.tif 000003
【００１２】この結果より、ウナギ肝（きも）粉末の投与による用量依存的な肝臓障害の抑制効果が示された。
【発明の効果】
【００１３】本発明により、うなぎの肝（きも）を有効成分とする肝臓障害抑制を目的とした医薬品または食品を提供することができる。
(57)【要約】【課題】  アトピー性皮膚炎などの皮膚疾患を持つ人が急増しており、またそれに対する様々な対処療法的商品が次々に開発され、多くの人に使用されている昨今、環境負荷が小さく、長く使えて且つ皮膚に対する保湿効果、免疫能増強効果の高い洗浄剤、化粧品、浴用剤の開発が必要であり、これを提供することを課題とする。【解決手段】  通常廃棄されている食用大根の葉を用いて、大根葉抽出液を得る。これを洗浄剤、化粧品、浴用剤に配合することにより乾燥肌、アトピー性皮膚炎、にきび、酒さ日光皮膚炎など種々の皮膚疾患の改善が期待できる。また廃棄物を利用することから環境負荷が小さく、社会的にも長期にわたって使用することが可能である。【選択図】なし【特許請求の範囲】
【請求項１】
食用大根の葉から抽出した大根葉抽出液含有の皮膚保護美容洗浄用品
【請求項２】
請求項１に記載の大根葉抽出液を含有することを特徴とする洗浄剤
【請求項３】
請求項１に記載の大根葉抽出液を含有することを特徴とする化粧品
【請求項４】
請求項１に記載の大根葉抽出液を含有することを特徴とする浴用剤
【発明の詳細な説明】
【技術分野】
【０００１】  本発明は、顔、全身の皮膚、及び頭皮の保湿、免疫能の増強に効果を発揮する大根葉抽出液を含有する洗浄剤、化粧品、浴用剤に関する。
【背景技術】
【０００２】  近年アトピー性皮膚炎や、乾燥性敏感肌など、肌に何らかのトラブルを持つ人が急増している。この原因としては食生活、大気の乾燥や汚染、紫外線、清潔志向による過度の洗浄などが考えられるが、これに対応する方法として従来ではビタミンやサプリメントを摂取したり、保湿クリームや日焼け止めクリーム、よりマイルドな洗浄剤を用いるといった対処療法的な製品を用いるのが主流であった。
【発明の開示】
【発明が解決しようとする課題】
【０００３】  しかしながら、以上の従来技術によれば、化学薬品使用によるアレルギーやかえって肌荒れを起こす場合も見受けられ、その結果、より良い効果効能を求めて次々と新製品を試し、そのことがより症状を悪化させる原因になっている場合も多い。【０００４】  また、昔はほとんど無かったアトピー性皮膚炎などの急激な増加を見るとそのような快適さ、簡便さを求める限りない欲望のために、地球環境が悪化の一途を辿っており、それがめぐりめぐって、肌のトラブルの一因にもなっていると考えられる。【０００５】  従って、肌のトラブルの抜本的、永久的解決のためには、なるべく環境に負荷をかけずに安定的に供給することができ、天然由来の成分からなる、一生涯にわたって使用できる洗浄剤、化粧品、浴用剤を提供することが必要である。【０００６】  その洗浄剤、化粧品、浴用剤は単に天然由来成分からできているということだけでなく、すでにトラブルを起こしている肌に対して、緩和効果や自らの免疫能を高めることによる治療効果を持つものであればなお良い。【０００７】  そこで本発明は、洗浄剤、化粧品、浴用剤に配合することにより保湿効果や免疫力増強効果を発揮し、環境に負荷をかけずに安定的に供給できる天然由来の抽出物を提供することを課題とする。
【課題を解決するための手段】
【０００８】  出荷される際、大量に廃棄されている食用大根の葉から抽出したエキスを洗浄剤、化粧品、浴用剤に配合する。この時、配合する洗浄剤、化粧品、浴用剤のその他の成分としては、なるべく余計な化学物質を含まず、例えば洗浄剤に必要となる界面活性剤としては純石鹸のような天然由来の成分のみからなることが望ましい。
【発明の効果】
【０００９】  大根葉抽出液の効果により、これを配合した洗浄剤、化粧品、浴用剤にすぐれた保湿作用、免疫能増強作用が見られ、乾燥肌、アトピー性皮膚炎、にきび、酒さ、日光皮膚炎などの皮膚疾患の改善が期待できる。【００１０】  健康な皮膚を持つ人に対しても、しっとりとした感触と、大根葉特有の匂いにより、今までにない自然な感覚の洗浄剤、化粧品、浴用剤として一生涯にわたって快適に使うことができ、健康な皮膚を保つことが可能となる。【００１１】  通常廃棄されている大根の葉部分を利用することにより、限りある資源の有効活用ができ、環境負荷を減らすことができる。【００１２】  上記大根葉抽出液を配合した石鹸を２歳から７６歳までのアトピー性皮膚炎などの症状で病院に通院している患者８９人（男性３２人、女性５７人）に試験的に使用してもらったところ、使用感について８９人中７８人が大変良かった、もしくは良かったと回答し、そのうち６５人がカサカサ感の軽減効果、９人がかゆみの軽減効果があったと回答した。
【発明を実施するための最良の形態】
【００１３】  出荷される際に切り落とされる大根の葉を吊り干しにして完全に乾燥させる。これにより成分が凝縮され、細胞壁が壊れるため、より濃厚な有効成分を含む抽出液を効率的に抽出することが可能となる。乾燥させる場所は日光が当たるところでも、当たらないところでもどちらでも良いが、日光の照射により大根葉の成分に変化が生じ、より有効な成分が生成する可能性もある。また、この乾燥大根葉は保存性に優れ、大根の収穫期に大量に乾燥させて保存しておくことにより、常に安定供給が可能となる。【００１４】  乾燥大根葉を適当な溶媒に浸漬して抽出する。溶媒は、環境負荷をなるべくかけないという観点から水が最も望ましいが、より有効成分を効率的に抽出するためにアルコール類などを利用することも可能である。しかしながら水による抽出で十分な効果が得られることから、出来るだけ水を利用することが望ましい。【００１５】  抽出に用いる溶媒の量は乾燥大根葉の１２倍から３０倍を用いる。抽出温度は常温から溶媒の沸点付近までが考えられるが、有効成分の抽出される量と効率の観点から６０度から７０度くらい、抽出時間は１時間から２時間程度が望ましい。ろ過して、ろ液を大根葉抽出液とする。【００１６】  こうして得られた大根葉抽出液をそのまま、あるいは必要に応じて濃縮、希釈または乾燥粉末状として種々の洗浄剤、化粧品、浴用剤に配合する。
【実施例】
【００１７】  ここでは大根葉抽出液を配合した固形石鹸について説明する。オリーブ油、パーム核油、パーム油などからなる油脂に、油脂の鹸化価から計算したアルカリ当量の９０パーセントから９５パーセントの水酸化ナトリウムを、油脂重量に対し１５パーセントから１７パーセントの水で溶解した水溶液をゆっくり添加し、鹸化反応を行う。このとき油脂と水酸化ナトリウム溶液はともに、４０度から４５度付近に調整しておいたものを用いる。【００１８】  やや間をおいて、油脂重量の１５パーセントから１７パーセントの大根葉抽出液を４０度から４５度に加温したものをゆっくりと反応溶液に添加する。このとき反応溶液の温度が５度から１０度くらい上昇する。【００１９】  少しずつ粘度が増加するが、適当なところで型に流し込み、２４時間以上保温する。このとき反応熱が急激に発生し、内温が６０度から８０度に達するが、この熱が反応を促進するため、熱を逃がさないように厳重に保温する。【００２０】  ２４時間以上経過後、型から取り出して、風通しのよいところで５０日以上乾燥させる。この５０日というのは、出来上がった石鹸に含まれている水分が蒸発することによる重量の減少がほぼ止まるまでの目安であり、季節や環境により変化する。
(57)【要約】【課題】衣類及び装着物なる物に植え込みペースメーカー装着部分周辺をシートベルト及び他のものが触れない程度にガード出切る空間とその周りの素材に患部の盛り上がりの高さより高めになるように厚みを設定し使用者が違和感を感じないように施す、さらにその植え込みペースメーカーが電磁波の影響を受けにくい範囲内に電磁波防止用素材を施すことによってペースメーカー装着者が物やシートベルトなどが接触しないようにして違和感を感じさせないことと電磁波の影響を受けないことを特徴とする。【解決手段】手術により植え込みペースメーカーを装着した後に出来る盛り上り部分にシートベルトや他のものが触れないように空間を造りその空間の外の部分には上記盛り上がり部分より高くなるように生地及び素材で適度な厚みをもたせて植え込みペースメーカー装着部をかばうように製作し、さらに其上に電磁波防止用の素材を電磁波の影響が軽減できる範囲に施した衣類及び装着物を作る。【特許請求の範囲】
【請求項１】
植え込みペースメーカーの装着者が使用している乗り物用シートベルト及び他のものが患部に触れることにより生じる違和感をなくす為に患部に触れない程度の空間とその周りの素材に患部の盛り上がりの高さより高めの盛り上がりをつけ、さらにその植え込みペースメーカーが電磁波の影響を受けないようにする為電磁波防止用素材を施した衣類及び装着物である。
【発明の詳細な説明】
【発明の詳細な説明】
【技術分野】
【０００１】本発明は人体の保護具に関するものであり心臓用植え込みペースメーカー装着部分にシートベルト及び他のものが触れない程度にガード出切る空間と盛り上がりを衣類および装着物に設け、さらにその衣類及び装着物には植え込みペースメーカーが電磁波の影響を受けにくい範囲内に電磁波防止用素材を施す。これによりペースメーカー患部にシートベルトや物が触れて違和感を持つようなこともなく一般的な家庭で生じる電磁波の影響も受けるようなこともなく使用できる衣類および装着物に関するものである。
【背景技術】
【０００２】従来電磁波シールド素材を妊婦の腹帯の裏地に貼り付けたり肌着の表地全体につけて電磁波に対処して製品などを製造販売している。本発明のような植え込みペースメーカーに対して違和感がないように患部をよけて空間を設け其周りに患部が盛り上がった部分に触れないように工夫された衣類及び装着物はなかった。
【発明が解決しようとする課題】
【０００３】従来では心臓に問題がある植え込みペースメーカー使用者は乗り物に乗って移動するときその植え込みペースメーカー装着部が盛り上がっている為、シートベルト及び他のものが患部に触れやすく、触れるとその使用者は違和感をどうしても持たざるを得ない。また日常生活においても最近では植え込みペースメーカーが携帯電話や電子レンジ及びＩＨなどの電磁波の影響を受けやすい環境下にあるので電磁波の影響を軽減する必要がある。したがって今回の発明は上記による問題点を解決することが目的である。
【課題を解決する為の手段】
【０００４】植え込みペースメーカー装着部分の周辺をシートベルト及び他のものが触れない程度にガード出切る空間を衣類及び装着物に造りその周りの衣類及び装着物の素材にペースメーカー装着部の盛り上がりの高さより高めになるように厚みを設定し施す、さらにその植え込みペースメーカーが電磁波の影響を受けにくい範囲内に電磁波防止用素材を施す。
【発明実施の形態】
【実施例１】
【０００５】植え込みペースメーカーを、手術にて心臓に装着した、患者さん達にご協力頂いた。加えて、生命安全のため、専門医の立会いで、実験を行った。２５センチメートルの正方形の本発明装着物を、製作した。
電磁波防止素材として、ＤＡＩＷＡＢＯ製１７５Ｃを、３重にして用いた。空間を、設ける素材としては、綿を用いた。
そして装着感を、患者さんに判断して頂いた。電磁波の発生物としては、携帯電話を使用した（Ｖｏｄａｆｏｎｅ  Ｖ６０２ＳＨ）。携帯電話は、約３０センチメートルまで近づけ、心電図に異常がないかチェックした。
装着感          心電図
患者さん−Ａ    ◎（とても良い）      正常（問題なし）
患者さん−Ｂ    ◎                    正常
患者さん−Ｃ    ◎                    正常
以上のように、電磁波保護も出来、装着感がとても良好な、結果を得た。
【比較例−１】
電磁波防止素材として、ＤＡＩＷＡＢＯ製１７５Ｃを、３重にして用いた。大きさは、上記［実施例−１］と同じく、２５センチの正方形とした。それを、患者さん達に、下着の上から直接に装着してもらった。その他の、実験方法は、［実施例−１］と、同じで行った。
装着感              心電図
患者さん−Ａ    ×（とても悪い）      正常（問題なし）
患者さん−Ｂ    ×                    正常
患者さん−Ｃ    ×                    正常
以上のように電磁波保護は、十分出来るが、装着感がとても悪い結果であった。
【発明の効果】
【０００６】    上記［実施例−１］と［比較例−１］において両方とも心電図による結果に関しては良好であるものの、上記［実施例−１］と上記［比較例−１］を比較した場合では明らかに上記［実施例−１］のように植え込みペースメーカーの装着部分に空間を設けた本発明装着物を使用したときのほうが装着感に関しては良好であるという結果が得られた。
(57)【要約】      （修正有）【課題】  日差しの強いときなど、今すぐ帽子が欲しい時にすぐに買えて、気軽に使え、持ち運びにもかさばらない、用がすめば気軽に捨てることもできる簡単な帽子があればいいなという願いを叶えるため、出来るだけ簡潔な形状や仕組みで、なおかつ帽子の役目を十分はたすお手軽で簡単便利な帽子をつくることを考える。【解決手段】  頭の大きさより大きい円などの形（帽子のふちになる部分）の真ん中（頭のサイズになる部分）をあけ、そこに数箇所きれこみを入れることによりそれぞれの頭のサイズに対応でき、適度にフィット感や傾きとフレアー感もある簡潔帽子１により、この課題を解決する。【選択図】図１
2007186837.tif 000002
【特許請求の範囲】
【請求項１】
円などの形（ふちの部分になる）の真ん中に頭のサイズくらいの大きさをあけ、その部分にきれこみを入れることにより、頭の各サイズに対応可能な帽子ができる。またこのきれこみにより、帽子をかぶった時に程よい加減のフィット感や傾きそしてフレアー感もでるなど、簡潔な形状でありながら帽子の役目を十分はたす簡単便利な帽子。
【発明の詳細な説明】
【技術分野】
【０００１】  本発明は、帽子に関するものであり、帽子の形状を簡潔にし、素材、色を工夫することによって、手軽で簡単便利でおしゃれな帽子を作り出したものである。
［技術背景］【０００２】  従来からの帽子は手が込み、生地の量も多く、価格も高い。
【発明の開示】
【発明が開発しようとする課題】
【０００３】  しかし、従来のような帽子の形では荷物になるし、値段も張るので、日差しがまぶしく帽子が欲しいと思ったときにでもすぐにというわけにはいかない。かさばらず、必要なときだけ使えて、どこでも手に入りやすく、使って捨てられ、なおかつ十分日よけ効果もあり、本当にお手軽な帽子はないのかな。本発明は、このような不満を解決することを課題とする。
【課題を解決するための手段】
【０００４】  この課題を解決するための請求項１の発明は、円などの形（ふちになる部分）の真ん中（頭のサイズになる部分）をあけ、そこにきれこみを入れただけの簡潔な帽子である。このきれこみにより、それぞれの頭のサイズに対応出来、かぶった時に適度なフィット感、傾き、フレアー感も生まれる。また素材によっては欲しいと思った時に簡単気軽に手に入り、用が済めば気軽に使い捨てることもできる。素材によっては少しのリッチ感も得られる。
【発明の効果】
【０００５】  本発明により、ちょっと日よけが欲しい時に気軽に買えるし、簡潔な形なので荷物にもならない。素材の種類により野球観戦（使い捨て用）に無料で配布出来るし、少しリッチな素材にしてブランドのロゴマークを入れると、広告を兼ねた利用価値のあるプレゼントにもなる。紙素材にすると、コンビ二でも気軽に買えるし、地球にも優しい。いずれにしても簡単便利で用途を果たす。あると助かるアイテムになる。
［発明を実地するための最良の形態］
【０００６】  図１は、円の真ん中をあけ、そこにきれこみを入れたことを特徴とする、簡潔な形の帽子を真上から見た図である。このきれこみにより、それぞれの頭のサイズに対応できるし、形が簡潔なため荷物にならず、しかも帽子の役目もきちんとはたす。
【０００７】  帽子の素材はなんでもよい。例えば、紙素材は地球に優しく、使い捨てもしやすい。フエルト素材は柔らかさと張りもある。少しのはりと柔らかさもある素材を使うとかぶった時ののびもよく、きれこみによって出来るフィット感とフレアー感とともにさらに綺麗なフレアー感がでる。
【０００８】  素材、色は多種多様である。
【図面の簡単な説明】
【０００９】
【図１】  円の真ん中をあけそこにきれこみを入れた簡単な形状、仕組みの帽子。
【図２】  フエルトなど柔らかではりのある素材にした帽子をかぶった時の様子。
【図３】  お気に入りのハンカチ等を頭の真ん中におき、その上からこの帽子をかぶると、顔や首周りだけでなく、頭のてっぺんも日よけ出来る様子。
【符号の説明】
【００１０】１  円の真ん中をあけ、そこにきれこみを入れた帽子を真上から見た図。
２  １の帽子をかぶった時の図。
３  きれこみの長さにより、各サイズに対応できるし、このきれこみで、帽子をかぶった時に程よいフィット感や適度な傾きやフレアー感がる。
４  お気に入りのハンカチ等を利用すると頭のてっぺんも日よけ出来る。
【図１】
2007186837.tif 000003
【図２】
2007186837.tif 000004
【図３】
2007186837.tif 000005